(57)【要約】【課題】エアカーテンの空気吸込口に設けられるフィルタ、吸込口カバーの着脱の自由度を高めたショーケースを提供する。【解決手段】ショーケース本体１２の前面開口部２８の下端側の空気吸込口３０から空気を吸入し、前面開口部２８の上端側の空気吐出口３２からショーケース本体１２内に空気を吐出する通風ダクト２２と、この通風ダクト２２内に配置された冷却器２４および送風ファン２６とを備え、空気吸込口３０に吸込口カバー３４と空気中の塵埃を除去するためのフィルタ３６とが設けられたショーケース１０において、ショーケース本体１２に対して吸込口カバー３４およびフィルタ３６をそれ単独でそれぞれ着脱可能に構成するとともに、吸込口カバー３４およびフィルタ３６を一体的に着脱可能に構成した。【選択図】図１
2015173669.tif 000002
【特許請求の範囲】
【請求項１】
ショーケース本体の前面開口部の下端側の空気吸込口から空気を吸入し、前面開口部の上端側の空気吐出口から前記ショーケース本体内に空気を吐出する通風ダクトと、この通風ダクト内に配置された冷却器および送風ファンとを備え、前記空気吸込口に吸込口カバーと空気中の塵埃を除去するためのフィルタとが設けられたショーケースにおいて、
前記ショーケース本体に対して前記吸込口カバーおよび前記フィルタをそれ単独でそれぞれ着脱可能に構成するとともに、前記吸込口カバーおよび前記フィルタを一体的に着脱可能に構成したことを特徴とするショーケース。
【発明の詳細な説明】
【技術分野】
【０００１】
本発明は、スーパーマーケットやコンビニエンスストア等の店舗に設置されるショーケースに関するものである。
【背景技術】
【０００２】
従来、スーパーマーケットやコンビニエンスストア等の店舗に設置されるショーケースが知られている。こうしたショーケースは例えば、前面を開口したショーケース本体と、ショーケース本体内に設けた上下多段の商品陳列棚と、ショーケース本体内の下面、後面、上面に沿ってコ字状に形成した通風ダクトと、通風ダクトに設けた冷却器および送風ファンとを備えている。そして、ショーケース本体の前面開口部の下端側の空気吸込口から通風ダクト内に吸入した空気を冷却器で冷却し、ショーケース本体の前面開口部の上端側の空気吐出口から吐出することによって、ショーケース本体の前面開口部に冷気のエアカーテンを形成するようになっている。
【０００３】
このようなショーケースにおいて、空気吸込口から通風ダクト内に侵入する塵埃等による冷却器の能力低下などを防止するために、空気吸込口にフィルタを設けたものが知られている（例えば、特許文献１、２を参照）。
【０００４】
特許文献１に示されるショーケースは、通風ダクト内にフィルタから落下する塵埃等の異物を受容する塵埃受容部を空気吸込口に設けたものである。塵埃受容部とフィルタの取付枠とは一体に設けており、取付枠にフィルタを着脱自在に設けている。このため、塵埃受容部とフィルタがショーケース本体に対して一体に着脱されるようになっている。また、塵埃受容部と、空気吸込口を有する吸込口カバーとを一体に設けている。このため、塵埃受容部と吸込口カバーがショーケース本体に対して一体に着脱されるようになっている。
【０００５】
また、空気吸込口にフィルタを設けた他の技術として、例えば特許文献３に示されるものが知られている。一方、空気吸込口の脱着構造に関連する技術として、例えば特許文献４、５に示されるものが知られている。
【先行技術文献】
【特許文献】
【０００６】
【特許文献１】特開２００５−３４３０４号公報
【特許文献２】特開平７−９１８０７号公報
【特許文献３】実公平７−３１１０７号公報
【特許文献４】特開平４−１３９３７１号公報
【特許文献５】特開２００３−２９４３５１号公報
【発明の概要】
【発明が解決しようとする課題】
【０００７】
ところで、上記の従来の特許文献１のショーケースにおいては、塵埃受容部とフィルタがショーケース本体に対して一体に着脱されるようになっている。また、フィルタは塵埃受容部に対して着脱自在であり、塵埃受容部と吸込口カバーは一体に設けられる。したがって、このショーケース本体からは、フィルタのみ、あるいは、フィルタと塵埃受容部と吸込口カバーを一体に着脱することができる。しかしながら、吸込口カバーのみを着脱することができないという問題や、フィルタと吸込口カバーを一体に着脱することができないという問題があった。
【０００８】
本発明は、このような点に鑑みてなされたものであり、エアカーテンの空気吸込口に設けられるフィルタ、吸込口カバーの着脱の自由度を高めたショーケースを提供することを目的とする。
【課題を解決するための手段】
【０００９】
上記した課題を解決し、目的を達成するために、本発明に係るショーケースは、ショーケース本体の前面開口部の下端側の空気吸込口から空気を吸入し、前面開口部の上端側の空気吐出口から前記ショーケース本体内に空気を吐出する通風ダクトと、この通風ダクト内に配置された冷却器および送風ファンとを備え、前記空気吸込口に吸込口カバーと空気中の塵埃を除去するためのフィルタとが設けられたショーケースにおいて、前記ショーケース本体に対して前記吸込口カバーおよび前記フィルタをそれ単独でそれぞれ着脱可能に構成するとともに、前記吸込口カバーおよび前記フィルタを一体的に着脱可能に構成したことを特徴とする。
【発明の効果】
【００１０】
本発明に係るショーケースによれば、ショーケース本体の前面開口部の下端側の空気吸込口から空気を吸入し、前面開口部の上端側の空気吐出口から前記ショーケース本体内に空気を吐出する通風ダクトと、この通風ダクト内に配置された冷却器および送風ファンとを備え、前記空気吸込口に吸込口カバーと空気中の塵埃を除去するためのフィルタとが設けられたショーケースにおいて、前記ショーケース本体に対して前記吸込口カバーおよび前記フィルタをそれ単独でそれぞれ着脱可能に構成するとともに、前記吸込口カバーおよび前記フィルタを一体的に着脱可能に構成したので、エアカーテンの空気吸込口に設けられるフィルタおよび吸込口カバーの着脱の自由度を高めることができるという効果を奏する。
【図面の簡単な説明】
【００１１】
【図１】図１は、本発明の実施の形態に係るショーケースの一例を示す側断面図である。
【図２】図２は、本発明の実施の形態に係るショーケースの空気吸込口の部分拡大図であり、リターングリルとフィルタの双方が装着された状態を示す図である。
【図３】図３は、本発明の実施の形態に係るショーケースの空気吸込口の部分拡大図であり、フィルタのみを脱着する場合の説明図である。
【図４】図４は、本発明の実施の形態に係るショーケースの空気吸込口の部分拡大図であり、リターングリルのみを脱着する場合の説明図である。
【図５】図５は、本発明の実施の形態に係るショーケースの空気吸込口の部分拡大図であり、リターングリルとフィルタの双方を一体的に脱着する場合の説明図である。
【発明を実施するための形態】
【００１２】
以下に、本発明に係るショーケースの実施の形態について図面に基づいて詳細に説明する。なお、この実施の形態によりこの発明が限定されるものではない。
【００１３】
図１に示すように、本発明に係るショーケース１０は、前面を開口したショーケース本体１２と、ショーケース本体１２内に設けた上下多段の商品陳列棚１４と、ショーケース本体１２内の下面１６、後面１８、上面２０に沿ってコ字状に形成した通風ダクト２２を備える。通風ダクト２２内には冷却器２４および送風ファン２６が配置されている。
【００１４】
この構成においては、ショーケース本体１２の前面開口部２８の下端側に設けた空気吸込口３０から通風ダクト２２内に吸入した空気を冷却器２４で冷却し、ショーケース本体１２の前面開口部２８の上端側に設けた空気吐出口３２から吐出することによって、ショーケース本体１２の前面開口部２８に冷気のエアカーテンを形成するようになっている。
【００１５】
空気吸込口３０には、吸込口カバーとしてのリターングリル３４と空気中の塵埃を除去するためのフィルタ３６とが設けられている。リターングリル３４およびフィルタ３６はショーケース本体１２に対して一体的に着脱可能に構成されると同時に、それぞれ単独でショーケース本体１２に対して着脱できるように構成されている。
【００１６】
図２は、空気吸込口３０の部分拡大図である。この図に示すように、フィルタ３６は、リターングリル３４の後側に設けられたフィルタ取付け枠部材４０内に着脱自在に取り付けられる略板状のものであり、図示しない四角状の枠部とこの枠部上端に設けられた把持部と、枠部内に嵌め込まれたフィルタ部とからなる。フィルタ取付け枠部材４０自体もショーケース本体１２に対して着脱可能となっており、取り付け状態においては、その下端は通風ダクト２２の下面２２ａに当接した態様となっている。また、フィルタ取付け枠部材４０の上端は、ショーケース本体１２内の下面１６の前側に配置した板状の下面前側部材３８の前端部と連結している。下面前側部材３８はショーケース本体１２内の下面１６に対して分離可能に設けられている。フィルタ取付け枠部材４０の上端面には、フィルタ３６挿入用の図示しないスリット孔を有している。
【００１７】
一方、リターングリル３４は、図示しない空気吸入用の孔を有するリターングリル本体３４ａと、その後端側において上方向および下方向にそれぞれ延在する上フランジ３４ｂおよび下フランジ３４ｃと、リターングリル本体３４ａの前端側で下方に延在する前フランジ３４ｄとを有する。
【００１８】
リターングリル本体３４ａの後側下面は、保持部材４２を介してフィルタ取付け枠部材４０に支持される。一方、リターングリル本体３４ａの前側下面は、支持部材４４を介してショーケース本体１２に支持される。
【００１９】
上記構成の作用について説明する。
図３は、フィルタ３６のみを着脱する状態を示したものである。この図に示すように、フィルタ３６は、ショーケース本体１２に取り付けられたフィルタ取付け枠部材４０に対して着脱自在である。このとき、フィルタ取付け枠部材４０および下面前側部材３８はショーケース本体１２に装着された状態となっている。また、リターングリル３４の後側は保持部材４２を介してフィルタ取付け枠部材４０に保持された状態、リターングリル３４の前側は支持部材４４を介してショーケース本体１２に支持された状態となっている。
【００２０】
図４は、リターングリル３４のみを着脱する状態を示したものである。この図に示すように、リターングリル３４は、ショーケース本体１２の空気吸込口３０に対して着脱自在である。このとき、フィルタ３６はショーケース本体１２に装着してあるフィルタ取付け枠部材４０に挿入された状態となっている。
【００２１】
図５は、リターングリル３４およびフィルタ３６を一体的に着脱する状態を示したものである。この図に示すように、リターングリル３４およびフィルタ３６は、ショーケース本体１２の空気吸込口３０に対して着脱自在である。ここで、フィルタ３６は、フィルタ取付け枠部材４０に挿入された状態、フィルタ取付け枠部材４０と下面前側部材３８は連結した状態で着脱される。また、リターングリル３４は保持部材４２を介してフィルタ取付け枠部材４０に支持された状態で着脱される。なお、リターングリル３４およびフィルタ３６を空気吸込口３０に一体的に装着または脱着する場合には、下面前側部材３８を把持して行うことができる。
【００２２】
したがって、本発明によれば、リターングリル３４とフィルタ３６の脱着に関して、次の（１）〜（３）のそれぞれの方式が使用可能になる。すなわち（１）フィルタ３６のみを脱着する（図３を参照）、（２）リターングリル３４のみを脱着する（図４を参照）、（３）フィルタ３６とリターングリル３４とを一体的に同時に脱着する（図５を参照）、という３つの方式が使用可能である。
【００２３】
このように、本発明によれば、エアカーテンの空気吸込口３０に設けられるフィルタ３６、リターングリル３４の着脱の自由度を高めることができるという効果を奏する。
【００２４】
また、本発明によれば、フィルタ３６のみを脱着すること、リターングリル３４のみを脱着することに加え、フィルタ３６とリターングリル３４の双方を同時に脱着することが可能となるので、フィルタ３６とリターングリル３４の双方の清掃を行う際の脱着作業の手間が少なくなる。
【００２５】
以上説明したように、本発明に係るショーケースによれば、ショーケース本体の前面開口部の下端側の空気吸込口から空気を吸入し、前面開口部の上端側の空気吐出口から前記ショーケース本体内に空気を吐出する通風ダクトと、この通風ダクト内に配置された冷却器および送風ファンとを備え、前記空気吸込口に吸込口カバーと空気中の塵埃を除去するためのフィルタとが設けられたショーケースにおいて、前記ショーケース本体に対して前記吸込口カバーおよび前記フィルタをそれ単独でそれぞれ着脱可能に構成するとともに、前記吸込口カバーおよび前記フィルタを一体的に着脱可能に構成したので、エアカーテンの空気吸込口に設けられるフィルタ、吸込口カバーの着脱の自由度を高めることができる。
【産業上の利用可能性】
【００２６】
以上のように、本発明に係るショーケースは、スーパーマーケットやコンビニエンスストア等の店舗に設置されるショーケースに有用であり、特に、エアカーテンの空気吸込口に設けられるフィルタ、吸込口カバーの着脱の自由度を高めるのに適している。
【符号の説明】
【００２７】
１０  ショーケース
１２  ショーケース本体
１４  商品陳列棚
１６  下面
１８  後面
２０  上面
２２  通風ダクト
２２ａ  下面
２４  冷却器
２６  送風ファン
２８  前面開口部
３０  空気吸込口
３２  空気吐出口
３４  リターングリル（吸込口カバー）
３４ａ  リターングリル本体
３４ｂ  上フランジ
３４ｃ  下フランジ
３４ｄ  前フランジ
３６  フィルタ
３８  下面前側部材
４０  フィルタ取付け枠部材
４２  保持部材
４４  支持部材
【図１】
2015173669.tif 000003
【図２】
2015173669.tif 000004
【図３】
2015173669.tif 000005
【図４】
2015173669.tif 000006
【図５】
2015173669.tif 000007